(57)【要約】【課題】  ペットの健康状態に対応した混練物を包装内に封止したペットフードの製造方法を提供する。【解決手段】  ペットの健康状態に対応した原料を水と混練し、この混練物を加圧加熱用包装内に封止し、家庭用圧力釜等の最大圧力２気圧の圧力釜で加圧加熱処理することによりペットフードが完成する。【選択図】図１
2011010643.tif 000002
【特許請求の範囲】
【請求項１】
ペットフードの製造方法であって、該方法は、穀類，肉類，魚類，野菜類，栄養補助食品のいずれか又はこの組合せからなる原料をペットの健康状態に対応して選出し、この原料と水とを混練し、その混練物を加圧加熱用包装内に脱気して詰め込み、この包装を最大圧力２気圧の圧力釜に投入して加圧加熱処理を施すことを特徴とするペットフードの製造方法。
【請求項２】
前記圧力釜が家庭用圧力釜であることを特徴とする請求項１に記載のペットフードの製造方法。
【請求項３】
前記請求項１又は２のペットフード製造により製造することを特徴とするペットフード。
【発明の詳細な説明】
【技術分野】
【０００１】  本発明は、ペットの健康状態に対応して原料を選出し、この原料と水との混練物を加圧加熱用包装に詰め込み家庭用圧力釜等の最大圧力２気圧の圧力釜により加圧加熱処理するペットフード製造方法とその方法によるペットフードに関する。
【背景技術】
【０００２】  ペットフードやペットフードの製造方法としては数多くの従来技術が存在している一般に行われているペットフードの製造方法としては高圧の圧力釜を用いて材料を加圧加熱処理するものであり、後記する本発明のように低圧（２気圧）の例えば家庭用圧力釜を使用するものは存在していない。また、ペットフードの製造方法に関する公知技術としては、例えば、「特許文献１」や「特許文献２」が挙げられる。
【先行技術文献】
【特許文献】
【０００３】
【特許文献１】  特許公表２００６−５１１２０９（図１）
【特許文献２】  国際公開ＷＯ２００６／００１０６１
【発明の概要】
【発明が解決しようとする課題】
【０００４】  前記の「特許文献１」や「特許文献２」は夫々特徴のあるペットフードの製造方法を開示するものであるが、製造のプロセスが本発明と相異し、特に、家庭用圧力釜等の低圧の圧力釜を使用しない点において本発明と大きく異なるものである。また、その他の公知技術においても本発明のようなプロセスや圧力釜を使用する技術は見当らない。【０００５】  ペットは健康体のものも多く存在するが人間と同じく色々の疾患を持っているものも多い。例えば、消化不良，健康回復力の不足，成長力不足，皮膚のトラブル，消化器系のトラブル，腎臓疾患，関節や筋肉トラブル，体臭増加，ホルモンバランス不備落着きのない状態，心臓疾患，膀胱のトラブル等極めて多くの疾患が存在し、これ等に対して何等かの治療が必要となる。勿論、これ等の疾患に対してペット用の薬が存在するが、毎日食している食物（ペットフード）の選択によりこれ等の疾患が緩和される場合も多い。本発明はそのようなペットフードをペットの健康状態に対応して製造するペットフードの製造方法とその方法によるペットフードを提供することを目的とする。
【課題を解決するための手段】
【０００６】  本発明は、以上の目的を達成するために、請求項１の発明は、ペットフードの製造方法であって、該方法は、穀類，肉類，魚類，野菜類，栄養補助食品のいずれか又はこの組合せからなる原料をペットの健康状態に対応して選出し、この原料と水とを混練し、その混練物を加圧加熱用包装内に脱気して詰め込み、この包装を最大圧力２気圧の圧力釜に投入して加圧加熱処理を施すことを特徴とする。【０００７】  また、請求項２の発明は、前記圧力釜が家庭用圧力釜であることを特徴とする。【０００８】  また、請求項３の発明は、前記請求項１又は２のペットフード製造により製造することを特徴とする。
【発明の効果】
【０００９】  本発明の請求項１のペットフードの製造方法によれば、ペットの健康状態に対応した食物の含有されている包装を低圧の例えば家庭用圧力釜で製造することができ、各種の内容の食物を従来の製造方法に較べて容易に製作できる効果が上げられる。【００１０】  また、本発明の請求項２のペットフードの製造方法によれば、圧力釜として家庭用圧力釜が使用されるためペットフードを容易に、かつ手軽に製造することができる。【００１１】  また、本発明の請求項３のペットフードは以上の製造方法で作られたものであり、出願人等のテストによれば２年間の賞味期限のもてる検査に合格しており、かつ常温保存可能のものであることが実証されている。
【図面の簡単な説明】
【００１２】
【図１】  本発明のペットフードの製造方法の内容をステップ的に表現したフローチャートである。
【図２】  本発明のペットフードの製造方法によって作られたペットフードの模式的平面図である。
【発明を実施するための形態】
【００１３】  以下、本発明のペットフードの製造方法及びこれによるペットフードの実施の形態を図面等を参照して詳述する。
図１はペットフードの製造方法を示すフローチャートであり、図２はその方法によって作られたペットフードの一例を示す模式的平面図である。以下、それ等について順を追って説明する。
【実施例１】
【００１４】  図１に示すように本発明のペットフードの製造方法はステップ１からステップ７に示す内容のものからなる。即ち、ステップ１はペットの健康状態に対応した原料の選出であり、ステップ２はこの原料と混練する水の種類の選出であり、ステップ３は前記原料と水との混練であり、ステップ４は混練物を加圧加熱用包装に詰め込む作業であり、ステップ５は包装の脱気と密封であり、ステップ６はこの包装を例えば家庭用圧力釜に入れて加圧加熱処理する作業であり、ステップ７はペットフードの完成を示す工程である。以下夫々のステップの詳細の説明を行う。【００１５】  ステップ１における原料としては極めて多くのものがあり、その一例を以下に示す。なお、原料としては大別して穀類，肉類，魚類，野菜類，栄養補助食品からなるが、それ等に限定するものではない。また、以下に前記の各類の内容の１つの実施例を示すが勿論これに限定するものではない。
ａ）穀類・・・・・小麦・玄米・白米・きび・はと麦・キヌア・押し麦・黒米・シリアル。
ｂ）肉類・・・・・鶏・豚・牛・馬・ラム・七面鳥・兎・合鴨。
ｃ）魚類・・・・・鰹・鮪・うなぎ。
ｄ）野菜類・・・・人参・キャベツ・大根（葉）・にがうり・ほうれん草・あした葉・よもぎ・ガーリック・アルファルファ・大麦若葉・ブロッコリー・青菜・青梗菜・トマト・山芋・ジャガイモ・薩摩芋・かぼちゃ・シモン根・ホーソンベリー・マザーワート・ダンディライオン・ウォータークレス・ゴトコラ・セントリー・クラブモス・マシュマロー・セロリシード・カイエンヌカプシカム・ラベンダー・クランプバーグ・パースレー・キャラウェイ・ラズベリーリーフ・ホーステイル・チャイナシード・カモミール・ヤロー・ピーポーリン・チックウィード・スリッペリーエルム・タイム・ペニーロイヤル・アニスシード・バジル・バードック・フェヌグリーク・ローズヒップ・ローズマリー・モロヘイヤ・ヒソップ・フェンネル・ガジュツ・キャットニップ・シモン葉・スターアニス・ウコン・ジェニパーベリー。
Ｂｌａｄｄｅｒ  Ｗｒａｃｋ，Ｂｏｒａｇｅ，Ｆｌａｘ  Ｓｅｅｄ，Ｗａｔｅｒｍｅｌｏｎ  Ｓｅｅｄ，Ｃｌｅａｖｅｒｓ，Ｔａｕｒｉｎｅ
Ｂｌａｃｋ  Ｗａｌｎｕｔ  Ｌｅａｖｅｓ，Ｗｏｒｍｗｏｏｄ，Ｑｕａｓｓｉａ，Ｃｌｏｖｅｓ，Ｍａｌｅ  Ｆｅｒｎ．
Ｐｕｍｐｋｉｎ  Ｓｅｅｄ，Ｏｋｒａ，Ｒｈｕｂａｒｂ  Ｒｏｏｔ，Ｃａｐｓｉｃｕｍ，Ｐｅｐｐｅｒｍｉｎｔ，Ｄｕｌｓｅ
Ｂｌａｃｋ  Ｔｅａ，Ｃｏｎｄｕｒａｎｇｏ  Ｂａｒｋ，Ｒｅｄ  Ｃｌｏｖｅｒ，Ｙｅｌｌｏｗ  Ｄｏｃｋ，Ｐａｐｒｉｋａ，Ｃｈａｐａｒｒａｌ，Ｓｐｉｋｅｎａｒｄ．
Ｒａｓｐｂｅｒｒｙ  Ｌｅａｖｅｓ，Ｂａｓｉｌ，Ｌｅｔｔｕｃｅ．
Ｅｕｃａｌｙｐｔｕｓ，Ｃｌｕｂ  Ｍｏｓｓ，Ｔａｒｒａｇｏｎ，Ｃｏｎｄｕｒａｎｇｏ  Ｂａｒｋ，Ｔｅａ  Ｌｅａｆ，Ｊａｓｍｉｎｅ  Ｆｌｏｗｅｒ
Ｂｌａｃｋ  Ｒａｄｉｓｈ  Ｒｏｏｔ，Ｐａｒｓｌｅｙ  Ｌｅａｆ．
Ｇｏｌｄｅｎｒｏｄ，Ｇｏｌｄｅｎｓｅａｌ  Ｒｏｏｔ，Ｃｌｏｖｅｓ．
Ｃｏｎｄｕｒａｎｇｏ  Ｂａｒｋ，Ｙｅｌｌｏｗ  Ｄｏｃｋ，Ｇｏｌｄｅｎｓｅａｌ  Ｒｏｏｔ，Ｇｏｌｄｅｎｒｏｄ，Ｅｙｅｂｒｉｇｔ，Ｒｅｄ  Ｃｌｏｖｅｒ，Ｃｌｏｖｅｓ
Ｐａｐａｙａ  Ｌｅａｆ，Ｍｙｒｒｈ，Ｇｅｎｔｉａｎ  Ｒｏｏｔ，
Ｍｕｇｗｏｒｔ，Ｗｈｉｔｅ  Ｐｉｎｅ  Ｂａｒｋ，Ｍｙｒｒｈ，Ｃｈａｍｏｍｉｌｅ，Ｃａｔｎｉｐ，Ｍｕｌｌｅｉｎ
Ｇｏｔｕ−Ｋｏｌａ，Ｙａｒｒｏｗ，Ｙｅｒｂａ−ｓａｎｔａ，Ｂｅｅ  Ｐｏｌｌｅｎ，ＰＡＢＡ
Ｒｉｃｅ  Ｐｒｏｔｅｉｎ，Ｆｌａｘ  Ｓｅｅｄ，Ｓｐｉｎａｃｈ  Ｆｌａｋｅｓ，Ｌｅｃｉｔｈｉｎ，Ｈｏｒｓｅｔａｉｌ，Ａａｒａｎｔｈ，Ｃｈｉａ  Ｓｅｅｄｓ，Ｐａｐａｙａ  Ｐｏｗｄｅｒ，Ｓｕｃａｎａｔ
Ｇｏｔｕ−Ｋｏｌａ，Ｃｈｉａ−Ｓｅｅｄ，Ｓａｗ  Ｐａｌｍｅｔｔｏ  ｂｅｒｒｙ，Ｋｏｌａ  Ｎｕｔ，Ｗｉｌｄ  Ｙａｍ  ｒｏｏｔ，
Ｅｃｈｉｎａｃｅａ  Ｒｏｏｔ，Ｈｙｄｒａｎｇｅａ  Ｒｏｏｔ，Ｐａｒｓｌｅｙ  Ｒｏｏｔ，Ｐａｒｓｌｅｙ  Ｌｅａｖｅｓ
Ｙｕｃｃａ，Ｂｌａｃｋ  Ｗａｌｎｕｔ  Ｌｅａｖｅｓ，Ｙｅｌｌｏｗ  Ｄｏｃｋ  Ｒｏｏｔ，Ｗｏｒｍｗｏｏｄ，Ｆｅｎｕｇｒｅｅｋ  Ｓｅｅｄ
Ｏｋｒａ，Ｍａｌｅ−Ｆｅｒｎ，Ｂｅｔｈ−Ｒｏｏｔ，Ｒｈｕｂａｒｂ−Ｒｏｏｔ，Ｃａｌａｍｕｓ  Ｒｏｏｔ．
Ｂｌａｃｋ  Ｃｏｈｏｓｈ  ｒｏｏｔ，Ａｎｉｓｅ  Ｓｅｅｄ，Ｙｅｌｌｏｗ  Ｄｏｃｋ  ｒｏｏｔ，Ｇｉｎｇｅｒ  Ｒｏｏｔ
Ｓａｗ  Ｐａｌｍｅｔｔｏ  Ｂｅｒｒｉｅｓ，Ｂｌａｃｋ  Ｗａｌｎｕｔ  Ｌｅａｖｅｓ，Ｃｏｒｎｓｉｌｋ
ｅ）栄養補助食品・・亜麻仁・納豆・油・グルコサミン・コンドロイチン・メープルシュガー・さとう大根（（カルシウムＫ）・パパイン酵素・クロレラ）
米糠醗酵菌・鮭白子抽出物（ＤＮＡ含有）・酵母リボ核酸・タウリン・常緑広葉樹炭素末・低温抽出常緑広葉樹皮木酢液
勿論これ等は単類使用の場合もあるが各種を組み合わせたものからなる。【００１６】  ステップ２の水は各種のものが採用されるが、例として水道水，天然水，天然温泉水等が使用される。勿論、これ等に限定するものではない。【００１７】  ステップ３の原料と水との混練は手作業又は混練用の機材等を用いて行うが、混練物としては包装内に詰め込み可能な柔軟性を有するものからなるが、その具体的性状については説明を省略する。【００１８】  ステップ４は混練物を加圧加熱用包装内に詰め込む作業であり、主として手作業で行う。この加圧加熱用包装としては各種のものがあるが、レトルトパウチ（ｒｅｔｏｒｔ  ｐｏｕｃｈ）が適用され、プラスチックと金属箔を貼り合わせたものが挙げられる。具体的には株式会社クレハの「ベセーラ」や株式会社メイワハウスの「白ベタバウチ」等が例として挙げられる。勿論、これ等に限定するものではない。【００１９】  ステップ５は包装の脱気と密封であるが、その詳細説明は省略する。【００２０】  ステップ６は包装を家庭用圧力釜に入れて加圧加熱処理する工程である。この家庭用圧力釜は一般に家庭用として市販されているもので最大圧力が２気圧程度のものである。勿論、家庭用圧力釜に限定するものではない。【００２１】  ステップ７は完成品の工程を示すものであり、図２に示すような形態のものが完成される。このものは図示のように加圧加熱用包装２内に混練物１を封止こめたものからなり、包装２の表面にはその内容物の種類や効能や使用方法等の内容表示３が記載されている。【００２２】  図２に示したペットフードの使用方法としては加圧加熱用包装２を開封して中味を出せばよく極めて容易に使用できる。また、未開封であれば２年間位は常温保存可能であり、日持ちすることに特徴がある。また、冷凍保存の場合は自然解凍で使用される。また、開封後は冷蔵庫の保存となるが２日間位が賞味期限となる。
【実施例２】
【００２３】  動物の健康状態としては各種の状態があるが一例として犬の皮膚のトラブルに対しては次のような原料のものが一例として挙げられる。
この方法は体の中の化学物質などを体の外に排出する助けとなる働きのある食事療法である。
具体的には、無農薬玄米／米／ポーク／ササミ／豚レバー／イースト／Ｂｌａｄｄｅｒ  Ｗｒａｃｋ，Ｂｏｒａｇｅ，Ｆｌａｘ  Ｓｅｅｄ，
Ｗａｔｅｒｍｅｌｏｎ  Ｓｅｅｄ，Ｃｌｅａｖｅｒｓ，Ｔａｕｒｉｎｅ  Ｂｌａｃｋ  Ｗａｌｎｕｔ  Ｌｅａｖｅｓ，Ｗｏｒｍｗｏｏｄ，Ｑｕａｓｓｉａ，Ｃｌｏｖｅｓ，Ｍａｌｅ  Ｆｅｒｎ，Ｐｕｍｐｋｉｎ  Ｓｅｅｄ，Ｏｋｒａ，Ｒｈｕｂａｒｂ  Ｒｏｏｔ，Ｃａｐｓｉｃｕｍ，Ｐｅｐｐｅｒｍｉｎｔ，Ｄｕｌｓｅ  Ｂｌａｃｋ  Ｔｅａ，
Ｃｏｎｄｕｒａｎｇｏ  Ｂａｒｋ，Ｒｅｄ  Ｃｌｏｖｅｒ，Ｙｅｌｌｏｗ  Ｄｏｃｋ，Ｐａｐｒｉｋａ，Ｃｈａｐａｒｒａｌ，Ｓｐｉｋｅｎａｒｄ，Ｒａｓｐｂｅｒｒｙ  Ｌｅａｖｅｓ，Ｂａｓｉｌ，Ｌｅｔｔｕｃｅ，Ｅｕｃａｌｙｐｔｕｓ，Ｃｌｕｂ  Ｍｏｓｓ，Ｔａｒｒａｇｏｎ，
Ｃｏｎｄｕｒａｎｇｏ  Ｂａｒｋ，Ｔｅａ  Ｌｅａｆ，Ｊａｓｍｉｎｅ  Ｆｌｏｗｅｒ／米糠醗酵菌／鮭白子抽出物（ＤＮＡ含有）／酵母リボ核酸／低温抽出常緑広葉樹皮木酢液等の原料と温泉水等を混練して製造される。【００２４】  本発明は以上の内容のものからなるが、その内容については以上の説明に限定するものではなく、同一技術的範疇のものが適用されることは勿論であり、特に、原料の内容については以上の説明の内容に限定するものではなく、さらに各種のものが適用可能であるが、ここではそのすべてを表示することは行わない。
【産業上の利用可能性】
【００２５】  本発明はペットとして主に犬に関するものであるが、ペットとしては犬に限定するものではなく、すべてのペットに対しても適用可能であり、その利用範囲は極めて広い。
【符号の説明】
【００２６】  １  混練物（原料と水）
２  加圧加熱用包装
３  内容表示
【図１】
2011010643.tif 000003
【図２】
2011010643.tif 000004